【手続補正書】
【提出日】平成21年2月20日(2009.2.20)
【手続補正１】
【補正対象書類名】特許請求の範囲
【補正対象項目名】全文
【補正方法】変更
【補正の内容】
【特許請求の範囲】
【請求項１】
複数個のデータに対応する一つのグループ基準値及び前記グループ基準値に対応する差分値を獲得し、
前記グループ基準値及び前記差分値を用いて前記データを獲得する、信号処理方法であって、
前記データは、データグルーピング及び前記データグルーピングに対する内部グルーピングを通じて一つのグループに含まれることを特徴とする、信号処理方法。
【請求項２】
前記内部グルーピングに含まれる前記データの個数は、前記データグルーピングに含まれる前記データの個数よりも少ないことを特徴とする、請求項１に記載の信号処理方法。
【請求項３】
前記データは、パラメータであることを特徴とする、請求項１に記載の信号処理方法。
【請求項４】
前記内部グルーピングは、前記データグルーピングされるデータ全体に対して行われることを特徴とする、請求項３に記載の信号処理方法。
【請求項５】
前記内部グルーピングは、パラメータの帯域別に行われることを特徴とする、請求項４に記載の信号処理方法。
【請求項６】
前記内部グルーピングは、前記データグルーピングされるデータの一部に対して行われることを特徴とする、請求項３に記載の信号処理方法。
【請求項７】
前記内部グルーピングは、前記データグルーピングされるデータのチャンネル別に行われることを特徴とする、請求項３に記載の信号処理方法。
【請求項８】
前記グループ基準値は、パイロット基準値であることを特徴とする、請求項１に記載の信号処理方法。
【請求項９】
前記グループ基準値は、差分基準値であることを特徴とする、請求項１に記載の信号処理方法。
【請求項１０】
前記グループ基準値はパイロット基準値に対応し、
前記パイロット基準値は、グループ別に定められることを特徴とする、請求項１に記載の信号処理方法。
【請求項１１】
前記データグルーピング及び前記内部グルーピングは、周波数ドメイン上のデータに対して行われることを特徴とする、請求項１に記載の信号処理方法。
【請求項１２】
前記周波数ドメインは、サンプルドメイン、サブバンドドメイン、ハイブリッドドメイン、パラメータバンドドメイン、データバンドドメイン及びチャンネルドメインのうちいずれか一つであることを特徴とする、請求項１１に記載の信号処理方法。
【請求項１３】
前記データの獲得は、前記データグルーピング及び前記内部グルーピングのうち少なくとも一つに関するグルーピング情報を用いて行われることを特徴とする、請求項１に記載の信号処理方法。
【請求項１４】
前記グルーピング情報は、各グループの位置、各グループの個数、前記グループ基準値のグループ別適用の有無、前記グループ基準値の個数、前記グループ基準値のコーデック方式及び前記グループ基準値の獲得の有無のうち少なくとも一つを含むことを特徴とする、請求項１３に記載の信号処理方法。
【請求項１５】
複数個のデータに対応するグループ基準値及び前記データを用いて差分値を生成し、
前記生成された差分値を転送する、信号処理方法であって、
前記データは、データグルーピング及び前記データグルーピングに対する内部グルーピングを通じて一つのグループに含まれることを特徴とする、信号処理方法。
【請求項１６】
複数個のデータに対応するグループ基準値及び前記データを用いて差分値を生成する値生成部と、
前記生成された差分値を転送する出力部と、
を含み、
前記データは、データグルーピング及び前記データグルーピングに対する内部グルーピングを通じて一つのグループに含まれることを特徴とする、信号処理装置。
【請求項１７】
複数個のデータに対応する一つのグループ基準値及び前記グループ基準値に対応する差分値を獲得する値獲得部と、
前記グループ基準値及び前記差分値を用いて前記データを獲得するデータ獲得部と、
を有し、
前記データは、データグルーピング及び前記データグルーピングに対する内部グルーピングを通じて一つのグループに含まれることを特徴とする、信号処理装置。
【請求項１８】
前記内部グルーピングに含まれる前記データの個数は、前記データグルーピングに含まれる前記データの個数よりも少ないことを特徴とする、請求項１７に記載の信号処理装置。
【請求項１９】
前記データは、パラメータであることを特徴とする、請求項１７に記載の信号処理装置。
【請求項２０】
前記内部グルーピングは、前記データグルーピングされるデータ全体に対して行われることを特徴とする、請求項１９に記載の信号処理装置。
【請求項２１】
前記内部グルーピングは、パラメータの帯域別に行われることを特徴とする、請求項１９に記載の信号処理装置。
【請求項２２】
前記内部グルーピングは、前記データグルーピングされるデータの一部に対して行われることを特徴とする、請求項１９に記載の信号処理装置。
【請求項２３】
前記内部グルーピングは、前記データグルーピングされるデータのチャンネル別に行われることを特徴とする、請求項１９に記載の信号処理装置。
【請求項２４】
前記グループ基準値は、パイロット基準値であることを特徴とする、請求項１７に記載の信号処理装置。
【請求項２５】
前記グループ基準値は、差分基準値であることを特徴とする、請求項１７に記載の信号処理装置。
【請求項２６】
前記グループ基準値はパイロット基準値に対応し、
前記パイロット基準値は、グループ別に定められることを特徴とする、請求項１７に記載の信号処理装置。
【請求項２７】
前記データグルーピング及び前記内部グルーピングは、周波数ドメイン上のデータに対して行われることを特徴とする、請求項１７に記載の信号処理装置。
【請求項２８】
前記周波数ドメインは、サンプルドメイン、サブバンドドメイン、ハイブリッドドメイン、パラメータバンドドメイン、データバンドドメイン及びチャンネルドメインのうちいずれか一つであることを特徴とする、請求項２７に記載の信号処理装置。
【請求項２９】
前記データ獲得部は、前記データグルーピング及び前記内部グルーピングのうち少なくとも一つに関するグルーピング情報を用いて前記データを獲得することを特徴とする、請求項１７に記載の信号処理装置。
【請求項３０】
前記グルーピング情報は、各グループの位置、各グループの個数、前記グループ基準値のグループ別適用の有無、前記グループ基準値の個数、前記グループ基準値のコーデック方式及び前記グループ基準値の獲得の有無のうち少なくとも一つを含むことを特徴とする、請求項２９に記載の信号処理装置。
【手続補正２】
【補正対象書類名】明細書
【補正対象項目名】００１０
【補正方法】変更
【補正の内容】
【００１０】
上記の目的を達成するための、本発明の信号処理方法は、複数個のデータに対応する一つのグループ基準値及び前記グループ基準値に対応する差分値を獲得し、前記グループ基準値及び前記差分値を用いて前記データを獲得する。データグルーピング及び前記データグルーピングに対する内部グルーピングを通じて一つのグループに含まれる。ここで、前記内部グルーピングに含まれる前記データの個数は、前記データグルーピングに含まれる前記データの個数よりも少ない。前記データはパラメータに該当する。
【手続補正３】
【補正対象書類名】明細書
【補正対象項目名】００１１
【補正方法】変更
【補正の内容】
【００１１】
前記内部グルーピングは、前記データグルーピングされるデータ全体に対して行われる。前記内部グルーピングは、パラメータの帯域別に実行されうる。また、前記内部グルーピングは、前記データグルーピングされるデータの一部に対して実行されうる。
【手続補正４】
【補正対象書類名】明細書
【補正対象項目名】００１２
【補正方法】変更
【補正の内容】
【００１２】
また、前記内部グルーピングは、前記データグルーピングされるデータのチャンネル別に実行されうる。
【手続補正５】
【補正対象書類名】明細書
【補正対象項目名】００１３
【補正方法】変更
【補正の内容】
【００１３】
また、前記グループ基準値は、パイロット基準値に対応し、前記パイロット基準値は、グループ別に定められる。
【手続補正６】
【補正対象書類名】明細書
【補正対象項目名】００１５
【補正方法】変更
【補正の内容】
【００１５】
また、前記周波数ドメインは、サンプルドメイン、サブバンドドメイン、ハイブリッドドメイン、パラメータバンドドメイン、データバンドドメイン及びチャンネルドメインのうちいずれか一つとなることができる。また、前記データの獲得は、前記データグルーピング及び前記内部グルーピングのうち少なくとも一つに関するグルーピング情報を用いて行われる。
【手続補正７】
【補正対象書類名】明細書
【補正対象項目名】００１７
【補正方法】変更
【補正の内容】
【００１７】
上記の目的を達成するための、本発明の信号処理装置は、複数個のデータに対応する一つのグループ基準値及び前記グループ基準値に対応する差分値を獲得する値獲得部と、前記グループ基準値及び前記差分値を用いて前記データを獲得するデータ獲得部と、を含む。前記データは、データグルーピング及び前記データグルーピングに対する内部グルーピングを通じて一つのグループに含まれる。
【手続補正８】
【補正対象書類名】明細書
【補正対象項目名】００１８
【補正方法】変更
【補正の内容】
【００１８】
上記の目的を達成するための、本発明の他の信号処理方法は、複数個のデータに対応するグループ基準値及び前記データを用いて差分値を生成し、前記生成された差分値を転送する。データグルーピング及び前記データグルーピングに対する内部グルーピングを通じて一つのグループに含まれる。
【手続補正９】
【補正対象書類名】明細書
【補正対象項目名】００１９
【補正方法】変更
【補正の内容】
【００１９】
上記の目的を達成するための、本発明の他の信号処理装置は、複数個のデータに対応するグループ基準値及び前記データを用いて差分値を生成する値生成部と、前記生成された差分値を転送する出力部と、を含む。データグルーピング及び前記データグルーピングに対する内部グルーピングを通じて一つのグループに含まれる。